(57)【要約】【課題】ピボットヒンジにカバーを取り付けられていない場合であっても、ピボット軸の環状溝から止めネジが抜け出ることを阻止することができるピボットヒンジの提供。【解決手段】ピボットヒンジは、上枠５ａに固定される枠側部材７１と、扉６の上側に固定される扉側部材７２とを具備している。枠側部材７１と扉側部材７２を連結するピボット軸１０の環状溝１０ｃに扉側部材７２に螺合された止めネジ２０の先端部２０ｂを当接させてピボット軸１０の上下動が阻止されている。止めネジ２０の先端部２０ｂは、止めネジ２０の軸線方向と平行な平面Ｓ２を有している。【選択図】図５
2011102465.tif 000002
【特許請求の範囲】
【請求項１】
上枠に固定される枠側部材と、扉の上側に固定される扉側部材とを具備し、該枠側部材と該扉側部材を連結するピボット軸の環状溝に該扉側部材に螺合された止めネジの先端部を当接させて該ピボット軸の上下動を阻止するピボットヒンジにおいて、該止めネジの先端部は、該止めネジの軸線方向と平行な平面を有していることを特徴とするピボットヒンジ。
【請求項２】
該先端部の先端面は多角形状又は半円形状であることを特徴とする請求項１に記載のピボットヒンジ。
【発明の詳細な説明】
【技術分野】
【０００１】
本発明は、扉を支持するためのピボットヒンジに関するものである。
【背景技術】
【０００２】
従来から、回転式で開閉する扉やドアの支持具としてピボットヒンジが使用されている。ピボットヒンジは扉と枠体の上下における上部ピボットと、下部ピボットとからなり、上下のピボットはそれぞれ枠側部材、扉側部材の対で構成され、扉と枠体の上下からは枠側部材、扉側部材のそれぞれの突出部が略水平に突出し、扉と枠体の上下において枠側部材と扉側部材がそれぞれ垂直なピボット軸により連結される。扉はその開閉に際し上下のピボット軸を支点にして回動する。図８は下記特許文献１に開示のピボットヒンジであるが、縦軸（以下ピボット軸という）１２０を支える軸座部（本発明では上部ピボットの扉側部材に相当し、以下上部ピボットの扉側部材という）１１０にはネジ孔１３０にピボット軸１２０が螺合されており、上部ピボットの扉側部材１１０のネジ孔１４０に螺合された止めネジ１５０をピボット軸１２０の環状溝１６０に係合させることにより、ピボット軸１２０の上下動を阻止するようになっている。
【０００３】
この構成では、止めネジ１５０の締め付けが十分でない場合、扉の開閉にともなう戸当たり等の振動で止めネジ１５０が緩む可能性がある。止めネジ１５０が緩むと、扉の開閉にともなってピボット軸１２０が扉側部材１１０に対して回転するようになる。そうすると、ピボット軸１２０は上方または下方へ移動し、ピボット軸１２０の環状溝１６０の壁面に止めネジ１５０が当接するようになるので、止めネジ１５０が回転して環状溝１６０から抜け出てしまう。従って、上部ピボットの扉側部材１１０には金属製のカバー１７０が装着されており、このカバー１７０によって環状溝１６０からの止めネジ１５０の抜けが阻止され、ピボット軸１２０は上部ピボットの扉側部材１１０から抜け出ることがないようになっている。
【先行技術文献】
【特許文献】
【０００４】
【特許文献１】特開平２−２７９８８５号公報
【発明の概要】
【発明が解決しようとする課題】
【０００５】
ところが近年、デザイン上の理由から、ピボットヒンジにカバーを取り付けないことが求められる場合があり、カバーが取り付けられない場合にはピボット軸の環状溝からの止めネジの抜けを阻止することができず、上部ピボットの扉側部材からピボット軸が抜け出る可能性があるという問題が生じている。
【０００６】
本発明は、上記の問題を解決するものであり、ピボットヒンジにカバーが取り付けられていない場合であっても、ピボット軸の環状溝から止めネジが抜け出ることを阻止することができるピボットヒンジを提供することを目的とする。
【課題を解決するための手段】
【０００７】
上記の目的を達成するために、本発明のピボットヒンジは、上枠５ａに固定される枠側部材７１と、扉６の上側に固定される扉側部材７２とを具備し、該枠側部材７１と該扉側部材７２を連結するピボット軸１０の環状溝１０ｃに該扉側部材７２に螺合された止めネジ２０の先端部２０ｂを当接させて該ピボット軸１０の上下動を阻止するピボットヒンジにおいて、該止めネジ２０の先端部２０ｂは、該止めネジ２０の軸線方向と平行な平面Ｓ２を有していることを特徴とする。
【０００８】
ここで、該先端部２０ｂの先端面Ｓ１は多角形状又は半円形状であることが好ましい。
【発明の効果】
【０００９】
本発明によれば、ピボットヒンジにカバーが取り付けられていない場合であっても、ピボット軸の環状溝から止めネジが抜け出ることを阻止し、上部ピボットの扉側部材からピボット軸が抜け出ることを防止することができる等の効果を奏する。
【図面の簡単な説明】
【００１０】
【図１】本発明の実施形態に係るピボットヒンジを使用した扉を閉状態で示す正面図である。
【図２】図１のＢ−Ｂ矢視断面図である。
【図３】本発明の実施形態に係る扉側部材７２の平面図であり、扉側部材７２にピボット軸１０が螺合され、止めネジ２０によりピボット軸１０の回り止めがなされている状態を示す図である。
【図４】本発明の実施形態に係るピボット軸１０の正面図である。
【図５】図３のＡ−Ａ矢視断面図である。
【図６】本発明の実施形態に係る止めネジ２０を示す図であり、（ａ）は正面図、（ｂ）は右側面図である。
【図７】本発明の実施形態に係る止めネジ２０の作用を説明するための図である。
【図８】従来のピボットヒンジを使用した扉を示す断面図である。
【発明を実施するための形態】
【００１１】
以下、本発明を実施するための好適な実施形態について、図面に基づいて説明する。
【００１２】
図１に示すように、壁等に設けられた枠体５の内側に扉６が嵌め込まれている。枠体５は、上下に上枠５ａと沓摺である下枠５ｂとを有し、左右に上下枠５ａ、５ｂを連結する竪枠５ｃ、５ｄを有する。扉６は水平方向に回転するようにその上下が枠体５の上下枠５ａ、５ｂにそれぞれピボットヒンジを介して連結される。矢印Ｙは下方向を表している。
【００１３】
ピボットヒンジは上部ピボット７０、下部ピボット８０で構成され、一般に金属製であるそれぞれ対になった枠側部材７１、扉側部材７２、扉側部材８１、枠側部材８２を有する。上部ピボット７０の枠側部材７１と扉側部材７２は重なり合うように配置されており、上枠５ａと扉６から略水平方向にそれぞれの突出部７１ａ、７２ａが突出する。同様に下部ピボット８０の扉側部材８１と枠側部材８２も重なり合うように配置されており、下枠５ｂと扉６から略水平方向にそれぞれの突出部８１ａ、８２ａが突出する。
【００１４】
図３に示すにように、上部ピボット７０における扉側部材７２は略板状に形成され、その固定部７２ｂの一端から片持ち状に突出部７２ａが突出する。枠側部材７１も略同様な形状に形成され、同じく固定部７１ｂの一端から片持ち状に突出部７１ａが突出する。
【００１５】
図２に示すように、上部ピボット７０の枠側部材７１は、その固定部７１ｂが枠体５の上枠５ａに複数のネジ１２により固定されることにより枠体５に取り付けられ、その結果、枠側部材７１の突出部７１ａが枠体５の壁面から略水平方向に片持ち状に突出している。また、上部ピボット７０の扉側部材７２はその固定部７２ｂが扉６の上端のフレーム８に複数のネジ１１で固定されることにより扉６の上側に取り付けられ、その結果、扉側部材７２の突出部７２ａが扉６の壁面から略水平方向に片持ち状に突出している。尚、７及び９は補強材となる鋼板である。
【００１６】
上部ピボット７０と同様に、下部ピボット８０においても扉側部材８１はその固定部８１ｂを介して扉６の下端に固定され、枠側部材８２はその固定部８２ｂを介して枠体５の下枠５ｂに固定されている。
【００１７】
図２に示すように、上部ピボット７０の枠側部材７１、扉側部材７２の対は略垂直なピボット軸１０により連結されている。ピボット軸１０の軸線方向の中ほどにネジ部１０ｂが設けられており、このネジ部１０ｂが扉側部材７２のネジ孔７２ｃに螺合されてピボット軸１０が扉側部材７２に組み込まれている。扉側部材７２の上面７２ｅから突出したピボット軸１０の軸部１０ａは、枠側部材７１に設けられた軸受け１３の軸孔１３ａに嵌入されている。図１に示すように、下部ピボット８０においても扉側部材８１、枠側部材８２の対は略垂直なピボット軸８３により連結されており、扉６は上部ピボット７０のピボット軸１０と下部ピボット８０のピボット軸８３を支点にして回動自在となっている。
【００１８】
図４及び図５に示すように、ピボット軸１０の下端にはピボット軸１０が上方に移動することを規制するためのフランジ部１０ｄが形成されており、扉側部材７２の上面７２ｅからピボット軸１０の軸部１０ａ以外が突出しないように規制している。ピボット軸１０のネジ部１０ｂとフランジ部１０ｄとの間には環状溝１０ｃが形成されており、扉側部材７２の側面とネジ孔７２ｃを貫通するネジ孔７２ｄに螺合された止めネジ２０の先端部２０ｂが環状溝１０ｃ内に位置して環状溝１０ｃと当接することにより、ピボット軸１０が扉６の回転に伴って扉側部材７２に対して回転しないようにピボット軸１０を固定している。尚、環状溝１０ｃは、止めネジ２０の先端部２０ｂが当接する底面１０ｅと、底面１０eの上側に位置する上側壁面１０ｆと、底面１０ｅの下側に位置する下側壁面１０ｇ（フランジ部１０ｄの上面）とによって画成されている。
【００１９】
図６に示すように、止めネジ２０は、略円柱形状であるネジ部２０ａと、このネジ部２０ａの一端から突出する略四角柱形状の先端部２０ｂとを備えている。ネジ部２０ａの他端には止めネジ２０を工具で扉側部材７２のネジ孔７２ｄに螺合させる場合に用いるマイナス溝２０ｃが形成されている。先端部２０ｂは、その先端（図６（ａ）における右端）に止めネジ２０の軸線方向（図６（ａ）における左右方向）と直交する略正方形状の平面である先端面Ｓ１を有している。この先端面Ｓ１は、止めネジ２０によりピボット軸１０を固定した図５に示す状態において、ピボット軸１０の環状溝１０ｃの底面１０ｅに当接する。また、先端部２０ｂは、ネジ部２０ａの一端と先端面Ｓ１を結ぶと共に、止めネジ２０の軸線方向に平行である略長方形状の平面Ｓ２を４つ有している。４つの平面Ｓ２は、図５の状態において、ピボット軸１０の環状溝１０ｃ内に位置する。
【００２０】
以上のように構成された本実施形態のピボットヒンジの作用について以下説明する。尚、図７は止めネジ２０の作用を説明するための図であり、（ａ）は止めネジ２０によってピボット軸１０が正常に固定されている状態における止めネジ２０の先端部２０ｂとピボット軸１０の位置関係を示し、（ｂ）は上側壁面１０ｆと先端部２０ｂが当接し始めた状態における止めネジ２０の先端部２０ｂとピボット軸１０の位置関係を示し、（ｃ）は上側壁面１０ｆと先端部２０ｂの平面Ｓ２が当接するようになった状態における止めネジ２０の先端部２０ｂとピボット軸１０の位置関係を示している。
【００２１】
扉６の取り付け等の施工時に止めネジ２０の締め付けが十分でない場合、長年の使用や扉の開閉にともなう戸当たり等の振動で固定ネジ２０が少し緩む可能性がある。止めネジ２０が緩むと扉６の開閉にともなってピボット軸１０が扉側部材７２に対して回転するようになり、ピボット軸１０の側面にはネジ部１０ｂが設けられているので、図２に示されるピボット軸１０はＹ方向（下方向）に移動するようになる。ここで、ピボット軸１０にはフランジ部１０ｄが形成されているので、ピボット軸１０は図２の上方向にはほとんど移動することはない。
【００２２】
ピボット軸１０が図２のＹ方向に移動することにより、当初は図７（ａ）に示す状態であった止めネジ２０の先端部２０ｂとピボット軸１０の位置関係は、環状溝１０ｃの上側壁面１０ｆと止めネジ２０の先端部２０ｂが当接し始める図７（ｂ）に示す状態へと変化する。そして、さらなるピボット軸１０の回転とＹ方向への移動により止めネジ２０は回転し、図７（ｃ）の状態に至るようになる。図７（ｃ）の状態になると、環状溝１０ｃの上側壁面１０ｆと、止めネジ２０の先端部２０ｂにおける４つの平面Ｓ２の１つが当接しているので、止めネジ２０はそれ以上は回転せず、止めネジ２０の先端部２０ｂは環状溝１０ｃから抜け出ることがない。
【００２３】
本実施形態のピボットヒンジは、止めネジ２０の先端部２０ｂが止めネジ２０の軸線方向と平行である平面Ｓ２を有しているので、平面Ｓ２が止めネジ２０の回転により水平となり、環状溝１０ｃの上側壁面１０ｆと当接する状態となると止めネジ２０は回転不能となる。従って、ピボットヒンジにカバーを設けない場合であっても、止めネジ２０が環状溝１０ｃから抜け出てしまうことを阻止し、ピボット軸１０が上部ピボット７０の扉側部材７２からＹ方向に抜け出てしまうことを確実に防止することができる。
【００２４】
本発明によるピボットヒンジは、上述した実施形態に限定されず、特許請求の範囲に記載された範囲で種々の変形や改良が可能である。例えば、上述した実施形態においては、止めネジ２０の先端面Ｓ１は略正方形状とされていたが、これに限定されない。止めネジ２０の先端部２０ｂが止めネジ２０の軸線方向と平行である平面Ｓ２を少なくとも１つ備えていればよいので、先端面Ｓ１の形状は三角形状等の多角形状や半円形状にしてもよい。
【符号の説明】
【００２５】
５  枠体、５ａ  上枠、６  扉、１０  ピボット軸、１０ｃ  環状溝、２０  止めネジ、２０ｂ  先端部、７０  上部ピボット、７１  枠側部材、７２  扉側部材、Ｓ１  先端面、Ｓ２  平面
【図１】
2011102465.tif 000003
【図２】
2011102465.tif 000004
【図３】
2011102465.tif 000005
【図４】
2011102465.tif 000006
【図５】
2011102465.tif 000007
【図６】
2011102465.tif 000008
【図７】
2011102465.tif 000009
【図８】
2011102465.tif 000010